(57)【要約】【課題】  光軸に沿って直動する移動レンズ体に駆動力を伝達する駆動機構に、必要量の潤滑剤を保持できる溜まり部を備えたレンズ駆動装置を提供する。【解決手段】  移動レンズ体１０を光軸Ｌに沿って移動させるための駆動機構５とを有するレンズ駆動装置１において、駆動機構５は、移動レンズ体１０を囲むように駆動コイル５５が配置された筒状のステータ５０と、ステータ５０と移動レンズ体１０との間にステータ５０と同軸状に配置された筒状の回転体８とを有し、回転体８は、ステータ５０によって光軸Ｌ周りに回転駆動される駆動マグネット６０と、駆動マグネット６０の回転力を移動レンズ体１０に伝達して移動レンズ体１０を光軸Ｌに沿って移動させる駆動力伝達部を有するスリーブ７０とを備え、スリーブ７０は固定体に回転自在に支持されるとともに、潤滑剤を保持する溜まり部３００が形成されている。【選択図】    図２
2007093998.tif 000002
【特許請求の範囲】
【請求項１】
レンズを備えた移動レンズ体と、前記移動レンズ体を前記レンズの光軸に沿って移動させるための駆動機構とを有するレンズ駆動装置において、
前記駆動機構は、前記移動レンズ体を囲むように駆動コイルが配置された筒状のステータと、前記ステータと前記移動レンズ体との間に前記ステータと同軸状に配置された筒状の回転体とを有し、
前記回転体は、前記ステータによって光軸周りに回転駆動される駆動マグネットと、前記駆動マグネットの回転力を前記移動レンズ体に伝達して前記移動レンズ体を光軸に沿って移動させる駆動力伝達部を有するスリーブとを備え、
前記スリーブは固定体に回転自在に支持されるとともに、潤滑剤を保持する溜まり部が形成されている、
ことを特徴とするレンズ駆動装置。
【請求項２】
前記溜まり部は、前記スリーブの内周面側に形成された凹部であることを特徴とする、請求項１記載のレンズ駆動装置。
【請求項３】
前記溜まり部は、前記スリーブの内周側開口と外周側開口との円周方向における開口位置が異なる貫通孔であること特徴とする、請求項１記載のレンズ駆動装置。
【請求項４】
前記溜まり部は、前記スリーブの内周側開口は前記外周側開口よりも広い貫通孔であることを特徴とする、請求項１記載のレンズ駆動装置。
【発明の詳細な説明】
【技術分野】
【０００１】
本発明は、カメラなどに用いられるレンズ駆動装置に関するものである。
【背景技術】
【０００２】
カメラ付き携帯機器などに搭載される薄型カメラでは、レンズを保持する移動レンズ体と、この移動レンズ体の外周に取り付けられたリング状のマグネットと、マグネットに対向する駆動コイルとを有し、駆動コイルへの通電を制御することにより、レンズを光軸方向に直動させるとともに、そこにレンズを磁気保持する構成のものが案出されている（例えば特許文献１参照）。
【０００３】
【特許文献１】特開２００４−３４７８９０号公報
【発明の開示】
【発明が解決しようとする課題】
【０００４】
しかしながら、特許文献１に記載のレンズ駆動装置は、レンズを光軸方向に直動させる直動式であるため、レンズの移動位置制度が低いという問題点がある。
【０００５】
そこで、本願出願人は、駆動コイルを備えたステータを移動レンズ体の周りを囲むように配置するとともに、ステータと移動レンズ体との間に、駆動マグネットおよびこの駆動マグネットの回転力を移動レンズ体に伝達して移動レンズ体を光軸に沿って直線移動させるための伝達機構とを備えた円筒状の回転体をステータと同軸上に配置した、いわゆる、中空ステッパ−として構成されたレンズ駆動装置を提案するものである。
【０００６】
ここで、かかる中空ステッパ−として構成されたレンズ駆動装置では、筒状の回転体は、光軸方向における両端部をカバー部材、およびベース部材によって支持固定されており、回転体の摺動面と接するベース部材の当接面には、摩擦力を抑制するための潤滑剤が塗布されている。
【０００７】
しかしながら、回転体の摺動面とベース部材の当接面との隙間は狭く、潤滑剤の塗布量が少なくなるため摺動面に十分に塗布できない場合がある。そのため、必要量の潤滑剤を確保できず、回転体の摺動面とベース部材の当接面とが摩擦によって磨耗し、摩耗粉を発生させ、この摩耗粉が撮影像に写し出されてしまい画像が劣化するという問題がある。また、摩耗粉が移動レンズ体と回転体との間につまった場合には、移動レンズ体が滑らかに動かなくなり、レンズの位置精度が劣るという問題や、電力を多く消費してしまうという問題がある。
【０００８】
以上の問題に鑑みて、本発明の課題は、光軸に沿って直動する移動レンズ体に駆動力を伝達する駆動機構に、必要量の潤滑剤を保持できる溜まり部を備えたレンズ駆動装置を提供することにある。
【課題を解決するための手段】
【０００９】
レンズを備えた移動レンズ体と、前記移動レンズ体を前記レンズの光軸に沿って移動させるための駆動機構とを有するレンズ駆動装置において、前記駆動機構は、前記移動レンズ体を囲むように駆動コイルが配置された筒状のステータと、前記ステータと前記移動レンズ体との間に前記ステータと同軸状に配置された筒状の回転体とを有し、前記回転体は、前記ステータによって光軸周りに回転駆動される駆動マグネットと、前記駆動マグネットの回転力を前記移動レンズ体に伝達して前記移動レンズ体を光軸に沿って移動させる駆動力伝達部を有するスリーブとを備え、前記スリーブは固定体に回転自在に支持されるとともに、潤滑剤を保持する溜まり部が形成されていることを特徴とする。
【００１０】
本発明において、回転体を構成するスリーブには、潤滑剤を保持する溜まり部が形成されているため、前記駆動力伝達部と前記固定体との間の潤滑剤が不足した場合にはこの溜まり部から潤滑剤を補充することが可能であり、潤滑剤がスリーブと前記固定体との間に確実に保持されることとなる。よって、スリーブと固定体の間に潤滑剤が十分に塗布されるとともに、回転時におけるスリーブと固定体との摩擦が生じるのを回避することができる。
【００１１】
また、前記溜まり部は、前記スリーブの内周面側に形成された凹部であることが好ましい。
【００１２】
この発明によれば、潤滑剤を凹部に形成された溜まり部に保持することができるとともに、前記凹部以外のところは前記スリーブと前記固定体との狭い隙間となっているので、回転体の回転時においては前記スリーブの外周面側に潤滑剤が飛沫するのを防止することができる。
【００１３】
また、前記溜まり部は、前記スリーブの内周側開口と外周側開口との円周方向における開口位置が異なる貫通孔であることが好ましい。
【００１４】
この発明によれば、貫通孔とした溜まり部に潤滑剤を保持することができる。また、前記貫通孔は、前記スリーブの内周側開口と外周側開口との円周方向における（開口）位置が異なるように形成されているので、回転体の回転時において前記潤滑剤を前記スリーブの内周側にかきいれることができる。
【００１５】
前記溜まり部は、前記スリーブの内周側開口は前記外周側開口よりも広い貫通孔であることが好ましい。
【００１６】
この発明によれば、貫通孔とした溜まり部に潤滑剤を保持することができる。また、前記スリーブの内周側開口は前記外周側開口よりも広い貫通孔であることより、回転体の回転時において、スリーブの外周側の圧力よりも、スリーブの内周側の圧力を低く維持することができる。よって、潤滑剤をスリーブの内周側に戻すことができる。
【発明の効果】
【００１７】
レンズを備えた移動レンズ体と、前記移動レンズ体を前記レンズの光軸に沿って移動させるための駆動機構とを有するレンズ駆動装置において、前記駆動機構を構成するスリーブには、潤滑剤を保持する溜まり部が形成されているため、このスリーブを回転自在に支持する固定体との間に介在されている潤滑剤が不足した場合にはこの溜まり部から潤滑剤を補充することが可能であり、潤滑剤がスリーブと前記固定体との間に確実に保持されることとなる。よって、スリーブと固定体の間に潤滑剤が十分に塗布されるとともに、回転時におけるスリーブと固定体との摩擦が生じるのを回避することができる。
【発明を実施するための最良の形態】
【００１８】
以下に、図面を参照して、本発明を適用したレンズ駆動装置を説明する。
【００１９】
（全体構成）
図１（ａ）、（ｂ）はそれぞれ、本発明を適用したレンズ駆動装置の要部の平面図および断面図である。
なお、図１（ｂ）は図１（ａ）の破線の矢線Ａ−Ａ´に沿った断面図である。また、レンズが最も像側（撮像装置が配置される側）に位置する状態を示している。
【００２０】
図１（ａ）、（ｂ）において、本形態のレンズ駆動装置１は、カメラ付き携帯電話などに搭載されている薄型カメラにおいて、３枚のレンズ２、３、４をレンズホルダ１１上に一体に保持した移動レンズ体１０と、この移動レンズ体１０を光軸Ｌに沿って移動させる駆動機構５と、駆動機構５および移動レンズ体１０が搭載された固定体２０とを有している。本形態において、固定体２０は、像側で撮像装置（図示せず）を保持する固定部としてのベース２１と、物体側に位置する被覆部としてのカバー２２と、カバー２２に装着されるキャップ２３とから構成されている。ここで、ベース２１とカバー２２はネジなどによって固定されている。このため、レンズ駆動装置１の耐落下特性などといった耐衝撃性が高い。
【００２１】
（駆動機構の構成）
駆動機構５は、ステータ５０と回転体８とを備えたステッピングモータ構造を備えている。ステータ５０は、フランジ付きの円筒状の絶縁体からなるボビンにコイル線が巻回された環状の駆動コイル５５を２つ備えており、２つの駆動コイル５５は各々、２枚の環状のヨーク５１の間に挟まれた状態にある。この状態で、ステータ５０の下段側および上段側のいずれにおいても、２枚のヨーク５１の極歯が周方向に交互に配置される。なお、２つの駆動コイル５５から計４本のコイル端末線が引き出され、これらのコイル端末線は各々、端子台８０に直線的に配列された端子８１に接続されている。なお、端子８１は４本あり、そのうちの１本にはフレキシブル基板を介してアースパターンが接続されている。
【００２２】
本形態のレンズ駆動装置１の駆動機構５では、円筒状のステータ５０の内側には、移動レンズ体１０との間に円筒状の回転体８が同軸状に配置され、この回転体８は、円筒状の駆動マグネット６０と、円筒状の樹脂製のスリーブ７０とを有している。駆動マグネット６０の外周面には、Ｓ極とＮ極が周方向に交互に配列され、その内側にスリーブ７０が接着固定されている。
【００２３】
スリーブ７０は、カバー２２とベース２１との間に、光軸方向への移動が阻止された状態で配置されている。ここで、スリーブ７０は、ベース２１に形成された段部２１１の外側、およびカバー２２の段部２２１の外側で軸線周り（光軸Ｌ）に回転可能な状態にある。従って、２つの駆動コイル５５に給電すると、駆動マグネット６０とスリーブ７０を備えた回転体８は、光軸Ｌ周りに所定の方向に回転することになる。
【００２４】
スリーブ７０を構成する面のうち、像側の面は第一摺接面７０ａとなっており、ベース２１の被写体側に形成された第一当接面２１ａと摺接する。この第一摺接面７０ａ、もしくは第一当接面２１ａには潤滑剤が塗布されており、第一摺面７０ａと第一当接面２１ａとの間を潤滑剤が介在している。なお、潤滑剤は、例えばグリース等を使用している。
【００２５】
さらに、スリーブ７０を構成する面のうち、内周面側の下部は第二摺接面７０ｂとなっており、ベース２１の外周面側に形成された第二当接面２１ｂと摺接する。この第二摺接面７０ｂ、もしくは第二当接面２１ｂには潤滑剤が塗布されており、第二摺面７０ｂと第二当接面２１ｂとの間を潤滑剤が介在している。
なお、本実施の形態では、上述した潤滑剤は、第一摺接面７０ａ、第二摺接面７０ｂに予め塗布してからベース２１に挿入して組立てるようにしている。
【００２６】
一方、スリーブ７０を構成する第二摺接面７０ｂの反対側の面であって、外周側面の下部の面７０ｃはいずれの部材とも接触していない。
【００２７】
スリーブ７０の内周面には雌ネジ７２が形成されており、この雌ネジ７２が駆動マグネット６０の回転力を移動レンズ体１０に伝達する駆動力伝達部として構成されている。
【００２８】
（移動レンズ体の構成）
本形態のレンズ駆動装置１では、スリーブ７０の内側には、３枚のレンズ２、３、４と絞り（図示せず）とをレンズホルダ１１で保持した円筒状の移動レンズ体１０が同軸状に配置されている。移動レンズ体１０においてレンズホルダ１１の外周面には雄ネジ１４が形成されており、移動レンズ体１０は、雄ネジ１４がスリーブ７０に形成された雌ネジ７２に螺合することにより、スリーブ７０の駆動力（回転）が移動レンズ体１０に伝達されるようになっている。
なお、本実施の形態において、スリーブ７０の雌ネジ７２と移動レンズ体１０の雄ネジ１４とは、駆動マグネット６０の回転によって移動レンズ体１０を光軸Ｌに沿って移動させるための駆動力伝達部を構成している。
【００２９】
なお、本形態では、例えば、図１（ａ）に示すように、レンズホルダ１１には複数本の突起１５を光軸Ｌ方向に延びるように構成する一方、固定体２０の側、例えば、カバー２２やキャップ２３には突起１５が嵌る凹部２５を形成しておき、これらの突起１５および凹部２５によって、移動レンズ体１０に雄ネジ１４および雌ネジ７２を介してスリーブ７０の回転力が伝達されたときに移動レンズ体１０の供回りを阻止する供回り阻止機構が構成されている。従って、移動レンズ体１０は、スリーブ７０の回転が直線運動に変換されて、光軸Ｌに沿って直動することになる。また、本実施の形態では、移動レンズ体１０とカバー２２との間にはバネ８５が配置されており、バネ８５の付勢力が雄ネジ１４および雌ネジ７２との間のバックラッシュを防止するようにしている。なお、供回り阻止機構を構成するにあたっては、移動レンズ体１０に溝を形成し、固定体２０の方に突起を形成してもよい。
【００３０】
（溜まり部の構成）
図２は、本形態のレンズ駆動装置１に構成した溜まり部３００の説明図である。図２（ａ）には、回転体８の正面図を、また、図２（ｂ）には回転体８の底面図を、さらに図２（ｃ）には図２（ｂ）のＢ−Ｂ´線に沿った断面図を示す。
【００３１】
本形態の回転体８において、スリーブ７０の内周側には、溜まり部３００が形成されている。図２（ｃ）に示すように、この溜まり部３００は、ベース２１の第一当接面２１ａ（図１（ｂ）参照）に達する凹部となっている。
【００３２】
また、この溜まり部３００は、図２（ｂ）に示すように、スリーブ７０の円周方向に複数の凹部として形成されている。例えば、本実施例では、溜まり部３００は等間隔に８つ形成されている。なお、溜まり部３００の数は本実施例における８つに限定されるものではなく、必要量の潤滑剤を確保するための容積であれば良く、１つの溜まり部の大きさまたはその数は任意でよい。
【００３３】
溜まり部３００は、スリーブ７０の第二摺接面７０ｂを内側に凹ませることによってベース２１の第二当接面２１ｂとの間に形成された空隙と、ベース２１の第一当接面２１ａとで形成された空間となっている。この空間には、必要量の潤滑剤を確保できるようになっている。
【００３４】
また、本実施の形態では、潤滑剤が、スリーブ７０の第一摺接面７０ａとベース２１の第一当接面２１ａとの間隙に適量塗布されるようになるので、潤滑剤の表面張力によってスリーブ７０の外周面（外周側面の下部の面７０ｃ側）への潤滑剤の流出を防止することもできるようになっている。
【００３５】
このように構成したレンズ駆動装置１において、２つの駆動コイル５５に給電すると、駆動マグネット６０は光軸Ｌ周りに所定の方向に回転する。駆動マグネット６０が回転することで、一体となっているスリーブ７０がベース２１とカバー２２との間で摺動しながら回転する。スリーブ７０が摺動する際、スリーブ７０の摺動面７０ａ、７０ｂとベース２１の当接面２１ａ、２１ｂとの間には潤滑剤が介在されているので、スリーブ７０の回転は滑らかに行われる。
スリーブ７０には、移動レンズ体１０に駆動力伝達部を構成する雌ネジ７２が設けられているので、雌ネジ７２を介して移動レンズ体１０の雄ネジ１４に駆動力が伝達される。雌ネジ７２に螺合している雄ネジ１４が回転しようとするが、移動レンズ体１０には供回りを阻止する供回り阻止機構（突起１５、凹部２５）が備えられているので、スリーブ７０からの駆動力（回転）は、それを光軸Ｌに沿って移動する力として変換される。その結果、移動レンズ体１０は光軸Ｌに沿って移動する。
【００３６】
（本形態の主な効果）
以上説明したように、レンズ駆動装置１において、駆動機構５は、移動レンズ体１０を囲むように駆動コイル５５が配置された円筒状のステータ５０と、ステータ５０と移動レンズ体１０との間にステータ５０と同軸状に配置された筒状の回転体８とを有し、回転体８は、ステータ５０によって光軸Ｌ周りに回転駆動される駆動マグネット６０と、駆動マグネット６０の回転力を移動レンズ体１０に伝達して移動レンズ体１０を光軸Ｌに沿って移動させる駆動力伝達部を有するスリーブ７０とを備え、スリーブ７０はカバー２１、ベース２２とに回転自在に支持されるとともに、潤滑剤を保持する溜まり部３００が形成されている。
【００３７】
上述したように、スリーブ７０には、潤滑剤を保持する溜まり部３００が形成されているため、前記スリーブ７０とベース２１との間の潤滑剤が不足した場合にはこの溜まり部３００から潤滑剤を補充することが可能であり、潤滑剤がスリーブ７０とベース２１との間に確実に保持されることとなる。よって、スリーブ７０とベース２１の間に潤滑剤が十分に塗布されるとともに、回転時におけるスリーブ７０とベース２１との摩擦が生じるのを回避することができる。したがって、従来技術のように、摩耗粉等が撮影像に映し出されるという心配もなく、所望の撮影像を撮影することができる。
【００３８】
また、移動レンズ体１０に摩耗粉が詰まり、回転体８との回転移動がスムーズにいかなくなるという心配もないため、撮影時において一定の動作を繰り返し行うことができる。すなわち、レンズの位置精度を一定に保つことができる。
【００３９】
加えて、回転体８との回転移動がスムーズにいくため、回転移動時の電力を必要以上に消費することもない。
【００４０】
また、潤滑剤を保持する溜まり部３００は、スリーブ７０の内周面側に形成された凹部である。すなわち、溜まり部３００は、ベース２１の第一当接面２０ａと第二当接面２０ｂとに対向する個所に凹部形状に形成されているので、第一摺動面７０ａ、第二摺動面７０ｂに確実に潤滑剤を塗布することができるようになっている。
さらに、溜まり部３００は密閉された空間ではないため、第一摺接面７０ａと第一当接面２１ａとの間隙、同様に、第二摺動面７０ｂと第二当接面２１ｂとの間隙に潤滑剤が適量にじみ出る。よって、スリーブ７０とベース２１とが接する面のいずれにおいても潤滑剤が塗布された状態に保つことができる。
【００４１】
また、溜まり部３００は、スリーブ７０側、すなわち、回転体８であって、スリーブ７０の内周面側に凹部形状に形成されているので、スリーブ７０が回転した場合でも、遠心作用により、スリーブ７０の外側に飛沫することもなく、塗布された潤滑剤は溜まり部３００内（凹部内）に安定して保持される。
【００４２】
さらに、潤滑剤が、スリーブ７０の外周側面の下部の面７０ｃの置かれた空間に漏れた場合でも、毛細管現象により、スリーブ７０の第一摺動面７０ｂとベース２１の第二当接面２１ｂとの隙間に、潤滑剤が集まりやすくなっている。
【００４３】
また、溜まり部３００は、スリーブ７０に形成するため、新たに部品を取り付ける必要がない。よって、部品点数の増加を招くことなく、部品点数を抑制することができる。したがって、コストが削減されるとともに、レンズ駆動装置１全体の小型化にも寄与することができる。
【００４４】
［その他の実施の形態］
上記形態では、溜まり部３００は、スリーブ７０の内周面側に凹部形状とし、外周面は閉じた構造であったが、溜まり部３００を外周側まで貫通させた孔であってもよい。なお、貫通孔を形成する場合には、次のように、潤滑剤がスリーブ７０の外周面側に漏れ出にくいような構造としている。
【００４５】
たとえば、図３（ａ）、（ｂ）、および（ｃ）には、それぞれ第二の実施例から第四の実施例までを示す。なお、図３（ａ）、（ｂ）、および（ｃ）には、いずれも回転体８の底面図を示す。
【００４６】
図３（ａ）に示す第二の実施形態において、溜まり部３００Ａは、上述した溜まり部３００をさらにスリーブ７０の外周面側まで貫通させるとともに、開口位置が円周方向において異なる位置に形成された貫通孔で形成されている。すなわち、溜まり部３００Ａは、スリーブ７０の内外周方向に貫通し、所定の一方向に傾斜して放射状に切り抜かれている。なお、貫通孔の傾斜角度や傾斜の方向には限定されるものではない。
【００４７】
このように、溜まり部３００Ａが傾斜した貫通孔にしたことで、スリーブ７０が回転した場合、遠心力により、潤滑剤が外周側に容易に漏れ出ないようにしている。具体的には、図３（ａ）において、スリーブ７０が反時計方向に回転した場合、溜まり部３００Ａ内の潤滑剤は外側に漏れ出ようとしても、貫通孔の壁面によって外周側への漏れを抑制されている。
一方、時計方向に回転した場合、外周側に漏れ出た潤滑剤を貫通孔によって、溜まり部３００Ａ内に潤滑剤を内周側へとかき入れるように誘導する。そのため、回転時において潤滑剤が外周方向に飛散することがない。
【００４８】
次に、図３（ｂ）に示す第三の実施形態において、溜まり部３００Ｂは、図３（ａ）と同様に傾斜した貫通孔で形成されており、図３（ａ）に示す溜まり部３００Ａとの違いは、所定の二方向（図３（ｂ）に示す矢印α方向、およびβ方向）に放射状の傾斜をなして形成されていることである。なお、本実施例では、隣接する溜まり部３００Ｂ同士は互いに異なる方向へ向いている。
これにより、上述した図３（ａ）に示す第二の実施の形態とほぼ同様な効果を有しているので、ここでの説明は省略する。
【００４９】
また、図３（ｃ）に示す第四の実施の形態において、溜まり部３００Ｃは、スリーブ７０の内周側開口Ｉは、外周側開口Ｏよりも広い貫通孔としている。そのため、回転体８の回転時において、スリーブ７０の外周側の圧力よりも、スリーブの内周側の圧力を低く維持することができる。よって、スリーブ７０の外周側の開口Ｏ側にあって、外周側に飛沫しそうになった潤滑剤は、圧力の低い内周側の開口Ｉへと自然に移動するようになっている。したがって、溜まり部３００Ｃ内の潤滑剤をスリーブの内周側に戻して保持することができ、外周側への漏れにくくしている。
【００５０】
さらに、本実施の形態では、図３（ｃ）の拡大図に示すように、貫通孔の壁面の形状が内周側から外周側方向にかけて両側面が内面側に凸の円弧形状となっている。これにより、溜まり部３００Ｃ内に保持されている潤滑剤が、スリーブ７０の外周側に漏れ出すことを防止している。
【００５１】
なお、上記の第二実施例から第四実施例における溜まり部３００Ａ〜３００Ｃは、回転体８の停止時においては、表面張力により潤滑剤がスリーブ７０の外側に容易に漏出することは無い。
【図面の簡単な説明】
【００５２】
【図１】（ａ）は、本発明を適用したレンズ駆動装置の要部の平面図、（ｂ）はその断面図である。
【図２】本形態のレンズ駆動装置に構成した溜まり部の説明図であり、（ａ）は、回転体の正面図、（ｂ）は回転体の底面図、（ｃ）は図２（ｂ）のＢ−Ｂ´線に沿った断面図である。
【図３】（ａ）は本発明の第二の実施の形態を示す回転体の底面図、（ｂ）は本発明の第三の実施の形態を示す回転体の底面図、（ｃ）は本発明の第四の実施の形態を示す回転体の底面図である。
【符号の説明】
【００５３】
１  レンズ駆動装置
２、３、４  レンズ
５  駆動機構
８  回転体
１０  移動レンズ体
１４  雄ネジ
２０  固定体
２１  ベース（固定部）
２２  カバー（被覆部）
５０  ステータ
５５  駆動コイル
６０  駆動マグネット
７０  スリーブ
７２  雌ネジ（駆動力伝達部）
３００  溜まり部
Ｌ  光軸
【図１】
2007093998.tif 000003
【図２】
2007093998.tif 000004
【図３】
2007093998.tif 000005